(57)【要約】【課題】本発明は、ファンモータ小型化・高性能化に対応するため、一層の熱放散手段の改善を目的とする。【解決手段】本発明に成るファンモータは、ベンチュリーと、これと一体の固定子フレームと、該固定子フレームに固着保持された固定子及び軸受保持部に嵌挿された軸受により回転自在に軸支された回転子とより成る電動機と、前記固定子と共に固定子フレーム内部に配設された制御部とを備え、ファンボス部と回転子フレームとが二重構造を成し、双方の底部に複数の貫通孔が形成され、該夫々の貫通孔が互いに偏倚し、直接対向し無いように固定保持され、又は、前記夫々の貫通孔が、いずれも周方向に等配され、又は、前記ファンボス部と回転子フレームが、いずれか他方の貫通孔周縁近傍対向部位に、通風ガイドを形成する壁を備えるように構成される。【選択図】        図２
2005076473.tif 000002
【特許請求の範囲】
【請求項１】
ベンチュリーと、該ベンチュリーと一体を成す固定子フレームと、該固定子フレームの内部空間に配置される固定子と、同じく該固定子フレームの軸受保持部に嵌挿された軸受により回転自在に軸支され、カップ状回転子フレームと該回転子フレームの円筒部内周面に保持された円筒状永久磁石を有する回転子とより成る電動機と、前記固定子と共に固定子フレーム内部に配設され、回路基板とこれに搭載された電子部品より成る制御部と、を備えるファンモータにおいて、ファンブレードを保持するファンボスと前記回転子フレームとが二重構造を成し、双方の底部に複数の貫通孔が形成され、該夫々複数の貫通孔が互いに偏倚し直接対向し無いように固定保持されていること、を特徴とするファンモータ。
【請求項２】
前記ファンボスと回転子フレーム双方に形成される貫通孔は、いずれも周方向に等配されていること、を特徴とする請求項１に記載のファンモータ。
【請求項３】
前記ファンボスと回転子フレームは、いずれか他方の貫通孔周縁近傍対向部位に、通風ガイドを形成する突起を備えること、を特徴とする請求項１又は２に記載のファンモータ。
【発明の詳細な説明】
【技術分野】
【０００１】
本発明は、ファンモータ、特にフレーム内部に電動機と共に制御回路を収納したファンモータに関する。
【背景技術】
【０００２】
【特許文献１】発明の名称；ファンモータ                              特開平１１−２１０７００号公報
【０００３】
上述特許文献１もその改善策の一つで、詳細は同公報に記載の通りで省くが、モータと制御回路が内装される固定子フレーム内部の熱放散を高める手段として、固定子フレームの底部に通気の為の貫通孔を設ける構想である。その他、図５の正面図と図６の断面図に示すように、回転子フレーム４−２１とこれと重畳するように配置される構成も知られている。
【発明の開示】
【発明が解決しようとする課題】
【０００４】
上述の如き従来の構成は、小型化・高性能化に伴う方熱効果の改善に相応の効果を実現してはいるが、止む事の無い市場での小型化・高性能化や、実装環境の悪化等に対応するための塵埃の浸入対策に改善が求められているのが現実となっている。
【課題を解決するための手段】
【０００５】
本発明に成るファンモータは、該ベンチュリーと一体を成す固定子フレームと、該固定子フレームの内部空間に配置される固定子と、同じく該固定子フレームの軸受保持部に嵌挿された軸受により回転自在に軸支され、カップ状回転子フレームと該回転子フレームの円筒部内周面に保持された円筒状永久磁石を有する回転子とより成る電動機と、前記固定子と共に固定子フレーム内部に配設され、回路基板とこれに搭載された電子部品より成る制御部とを備え、ファンブレードを保持するファンボス部と前記回転子フレームとが二重構造を成し、双方の底部に複数の貫通孔が形成され、該夫々複数の貫通孔が互いに偏倚し、直接対向し無いように固定保持され、
【０００６】
または、前記夫々複数の貫通孔が、いずれも周方向に等配され、
【０００７】
または、前記ファンボス部と回転子フレームが、いずれか他方の貫通孔周縁近傍対向部位に、通風ガイドを形成する突起を備えるように構成される。
【発明の効果】
【０００８】
本発明に成るファンモータは、固定子フレーム内部に配置された電動機及び電子部品を効果的に冷却すると共に、外部からの粉塵等の浸入を抑制することが出来る。
【発明を実施するための最良の形態】
【０００９】
以下図面によって本発明の実施例を説明する。
【実施例１】
【００１０】
図１の正面図と図２の断面図に見るように、ベンチュリ２と一体を成す固定子フレーム２−１は、軸受箱を形成する円筒部外周面に電動機４の固定子４−１と該電動機４を回転駆動する制御部６が内装され、前記固定子４−１の外周面に小空隙を介して回転子４−２の主体部材である円筒状永久磁石４−２２が回転自在に保持されている。
【００１１】
前記回転子４−２は、軸受５で軸支された軸４−２３の端部に保持された回転子フレーム４−２１によって前記円筒状永久磁石４−２２を保持しているが、前記回転子フレーム４−２１の底面には貫通した通気孔４−２１１が設けられている。
【００１２】
そして、回転子フレーム４−２１は、その外周面で羽根車３を構成するファンブレード３−１を保持するファンボス３−２を連結固定している。
【００１３】
そして、該ファンボス３−２の底面には通気孔３−２１が設けられており、該ファンボスの通気孔３−２１は、前記回転子フレームの通気孔４−２１１とは偏倚した位置となるようにずれた部位に形成されている。
【００１４】
上述双方通気孔の位置ずれは、外気と直接的に連通したとき、塵埃等の浸入が懸念される為で、通気経路を長くする為のものである。
【実施例２】
【００１５】
そして、前記双方の通気孔３−２１と４−２１１は、加工の容易性から、いずれも周方向に等配して形成されることが好ましいが、これに限定されるものでは無く任意で、双方が，直接的に対向することの無いように配置されることが要件である。
【実施例３】
【００１６】
また、図３を参照して図４に拡大して示すように、ファンボス３−２と回転子フレーム４−２１の隙間には、いずれかの通気孔の近傍部位に通気の案内となるように壁３−２２を形成することも有効である。該壁は、ファンボス３−２と回転子フレーム４−２１いずれに形成することも可能であることは言うまでも無い。
【産業上の利用可能性】
【００１７】
本発明に成るファンモータ、特にフレーム内部に電動機と共に制御回路を収納したファンモータの、内部発熱に対応する冷却効果の改善と共に、内部への塵埃等の侵入を抑制することを要する分野に広く適用可能である。
【図面の簡単な説明】
【００１８】
【図１】本発明に成るファンモータの例の正面図である。
【図２】図１の例の断面図である。
【図３】本発明に成る別の例を説明する為の正面図である。
【図４】図４の例の部分拡大断面図である。
【図５】従来技術に成るファンモータの例の正面図である。
【図６】図５の例の断面図である。
【符号の説明】
【００１９】
１        ファンモータ
２        ベンチュリ
２−１    固定子フレーム
３        羽根車
３−１    ファンブレード
３−２    ファンボス
３−２１  通気孔
３−２２  通気の案内壁
４        電動機
４−１    固定子
４−２    回転子
４−２１  回転子フレーム
４−２１１通気孔
４−２２  円筒状永久磁石
４−２３  軸
５        軸受
６        制御部
【図１】
2005076473.tif 000003
【図２】
2005076473.tif 000004
【図３】
2005076473.tif 000005
【図４】
2005076473.tif 000006
【図５】
2005076473.tif 000007
【図６】
2005076473.tif 000008